(57)【要約】【課題】搬送及び設置作業が容易に行えるようにすること、塵などの侵入を防止すること、及び見栄えを良くすることである。【解決手段】道路トンネル１の壁面５の箱抜き空間７内に設置される消火栓装置において、前面７ａを開閉する扉体２１を備えた前面パネル１９が、前記箱抜き空間７の壁面５ａに固定されて設置されるものであって、かつ、前記前面パネル１９の壁面側に、先端にノズルが接続された消火用ホース１５が収容される収容部１７が、前記箱抜き空間７内の床面９に配設されている。【選択図】  図１
2010166960.tif 000002
【特許請求の範囲】
【請求項１】
道路トンネルの壁面の箱抜き空間内に設置される消火栓装置において、
前面を開閉する扉体を備えた前面パネルが、前記箱抜き空間の壁面に固定されて設置されるものであって、かつ、前記前面パネルの壁面側に、先端にノズルが接続された消火用ホースが収容される収容部が、前記箱抜き空間内の床面に配設されていることを特徴とする簡易型消火栓装置。
【請求項２】
前記前面パネルの下方に、目隠し板を設置していることを特徴とする請求項１記載の簡易型消火栓装置。
【請求項３】
前記収容部が、前記床面に固定した架台を介して該床面に固定されていることを特徴とする請求項１、又は、２記載の簡易型消火栓装置。
【発明の詳細な説明】
【技術分野】
【０００１】
この発明は、消火栓装置に関するものであるが、更に述べると、簡易型消火栓装置に関するものである。
【背景技術】
【０００２】
従来、道路トンネルにおける防災設備として、消火栓装置が用いられている。この消火栓装置には、先端にノズルが接続された保形ホースによる消火栓部分と、消火器を収納する消火器部分と、押ボタン等の電気機器が集約された非常通報部分とを備えている。
【０００３】
前記各部分は、筐体に収められているが、この筐体に化粧枠（「前面パネル」ともいう）を取り付け、キャビネット本体外形が形成されている。
前記筐体は、前記トンネル壁面に箱状に抜かれた空間（「箱抜き空間部」という）に挿着されている。前記箱抜き空間は、監査路の位置に合わせて形成されている。
【発明の概要】
【発明が解決しようとする課題】
【０００４】
従来例では、筐体が大きく、例えば、縦１２００ｍｍ、横１８００ｍｍ、奥行き４５０ｍｍ、なので、これを収めることができる大きなスペースを持った「箱抜き空間」を、車道トンネルの壁面に形成しなければならない。
又、前記キャビネット本体内には、消火用ホースを中心とした消火栓と、消火器と、各種電気機器とを設けている。そのため、該キャビネット本体は全体的に重厚なものとなるので、運搬が大変であるとともに、設置作業も面倒であり、非常に手間がかかる。
【０００５】
そこで、箱状の筐体を省略することにより前記課題を解決することが考えられるが、箱抜き空間の前面が開放されている状態では、塵などが侵入するとともに、消火栓部分や消火器部分などが露出するので、見栄えが悪く、外観上も好ましくない。
【０００６】
この発明は、上記事情に鑑み、搬送及び設置作業が容易に行えるようにすることを目的とする。他の目的は、塵などの侵入を防止するとともに、見栄えを良くすることである。
【課題を解決するための手段】
【０００７】
この発明は、道路トンネルの壁面の箱抜き空間内に設置される消火栓装置において、前面を開閉する扉体を備えた前面パネルが、前記箱抜き空間の壁面に固定されて設置されるものであって、かつ、前記前面パネルの壁面側に、先端にノズルが接続された消火用ホースが収容される収容部が、前記箱抜き空間内の床面に配設されていることを特徴とする。
【０００８】
この発明の前記前面パネルの下方に、目隠し板を設置していることを特徴とする。この発明の前記収容部が、前記床面に固定した架台を介して該床面に固定されていることを特徴とする。
【発明の効果】
【０００９】
この発明は、以上の様に構成したので、箱抜き空間の監査路側の面である前面は、壁面に固定された前面パネル及び隠し板により閉鎖されるので、塵等の侵入を防止することができると共に、ホースバケット、消火器等の内容物が外から見えなくなり、見栄えが良くなる。
【００１０】
又、従来例と異なり、筐体を必要としないので、消火栓装置の搬送及び設置作業等が容易になるとともに、前記箱抜き空間は、その空間内に直接物を置けるので、不要なスペースが省略でき、従来よりも小さくできるので、箱抜き作業に要する労力費用を軽減させることができる。
【図面の簡単な説明】
【００１１】
【図１】本発明の第１実施形態を示す縦断面拡大図である。
【図２】前面パネルの正面図である。
【発明を実施するための形態】
【００１２】
この発明の第１実施形態を図１、図２により説明する。
道路トンネル１の底面には、車道２が設けられ、その側部には、監視員等が通る監査路３が立設されている。
【００１３】
前記監査路３から立ち上がっている壁面５には、箱抜き空間７が形成されている。該箱抜き空間７は、箱状(立方体状)に掘られて形成されているが、必ずしも箱状である必要は無く、ホースバケット、消火器等を設計通りに収容できる形状、大きさであれば良い。
【００１４】
前記箱抜き空間７内の床面９には、架台１１が固定具１３により床面９に直接固定され、該架台１１には、消火用ホースの収容部１７が載置固定されている。この収容部１７（ホースバケット）は、先端にノズルが接続された消火用ホース１５を巻き込み収容している。なお、この収容部１７は、床面９に直接固定することもできる。
【００１５】
前記箱抜き空間７内には、図示しない消火栓弁、弁開閉レバー、消火器、電気機器等が配設されている。
【００１６】
前記箱抜き空間７の監査路側の面である前面７ａは、前面パネル１９により覆われている。この前面パネル１９には、図2に示すように消火栓部分を開閉する、ハンドル２０付き消火栓扉２１と、消火器部分を開閉する、ハンドル２２付き消火器扉２３と、表示灯２５が設けられている。
【００１７】
前記前面パネル１９の上端部１９ａは、前記箱抜き空間７の上方壁面５ａに止め具２７により固定され、その下端部１９ｂは、床面９から起立する目隠し板２９にねじ２８により固定されている。そのため、前面パネル１９の下端部１９ｂと床面９間の隙間は、目隠し板２９により塞がれるので、外部から塵等が侵入するのを防止できると共に、前面パネル１９の壁面側に前記収容部１７や消火栓弁、弁開閉レバー、消火器、電気機器等が配設されるので、見栄えがよくなり外観上も好ましい状態となる。
なお、目隠し板２９を省略して、前面パネル１９の下端部１９ｂを床面９に接する様にしても良い。又、上壁面だけでなく、横部１９ｃを横方向の壁面に固定しても良い。
【００１８】
本発明の実施形態では、箱抜き空間７内に筐体を配設しないので、重厚な筐体の搬送及び設置に伴う作業負担が軽減される。
又、箱抜き空間７の前面７ａは、前面パネル１９及び目隠し板２９により塞がれているので、内部が隠され、美観上も好ましい状態になるとともに、ゴミなどの侵入を防止することができる。
【符号の説明】
【００１９】
１      道路トンネル
３      監査路
５      壁面
５ａ    上方壁面
７      箱抜き空間
７ａ    前面
９      床面
１５    消火用ホース
１７    ホースバケット
２１    消火栓扉
２９    目隠し板
【図１】
2010166960.tif 000003
【図２】
2010166960.tif 000004